(57)【要約】【課題】  特に、プレート基板と蓋体とを適切に接合することが出来るとともに、蛍光測定をより的確に行なうことが可能となった検査用プレートを提供することを目的としている。【解決手段】  流路１４の側方に、前記流路１４の側面１４ａから所定の間隔を置いて、前記流路１４の方向に沿って形成された凹形状の接着剤溜り溝１７が設けられ、前記プレート基板１２と蓋体１３とが前記接着剤溜り溝１７内に充填された接着剤１８によって接合される。接着剤１８は濃色で遮光性に優れる材質である。これによりプレート基板１２と蓋体１３とを適切に接合することが出来るとともに、蛍光測定をより的確に行なうことが可能となる。【選択図】  図２
2006053094.tif 000002
【特許請求の範囲】
【請求項１】
凹形状の流路と、前記流路の上流側に位置する凹形状の上流側室と、前記流路の下流側に位置する凹形状の下流側室とを有するプレート基板と、前記プレート基板上に接合される蓋体とを有し、
前記上流側室、流路、及び下流側室に至る溝部の周囲の少なくとも一部に、前記溝部の側面から所定の間隔を置いて、前記溝部の形状に沿って形成された凹形状の接着剤溜り溝が設けられ、
前記プレート基板と蓋体とが前記接着剤溜り溝内に充填された接着剤によって接合されることを特徴とする検査用プレート。
【請求項２】
前記接着剤溜り溝は、少なくとも前記流路の両側に前記流路の方向に沿って形成される請求項１記載の検査用プレート。
【請求項３】
前記接着剤は前記プレート基板及び蓋体に比べて遮光性に優れる材質で形成される請求項１または２に記載の検査用プレート。
【請求項４】
前記接着剤は前記プレート基板及び蓋体よりも濃色である請求項１ないし３のいずれか１項に記載の検査用プレート。
【請求項５】
前記接着剤には顔料が添加されている請求項４記載の検査用プレート。
【発明の詳細な説明】
【技術分野】
【０００１】
本発明は、例えば血液検査、尿検査、あるいはＤＮＡ検査を医療機関や個人などで行なうことが可能な簡易な検査用プレートに係わり、特に、プレート基板と蓋体とを適切に接合することが出来るとともに、蛍光測定をより的確に行なうことが可能となった検査用プレートに関する。
【背景技術】
【０００２】
近年、血液や尿など、人体からの採取物に対する検査用のチップの開発が盛んになっている。例えば、ＤＮＡチップは、ガラスなどの基板上に多種類のＤＮＡ断片（プローブあるいは試薬と称する）を貼り付けた物で、人から採取した遺伝子（検体，あるいはターゲットと称する）の働き具合（発現）等を一度に測定することが出来る。
【０００３】
従来、試験管とスポイト、あるいは攪拌機等で行なわれていた生化学反応を前記チップ上で行なうことで、高速度で検査することができ、また検査工程の簡略化を測ることが可能であると考えられ、注目を浴びている。
【０００４】
ところで検査チップは、現在、研究用チップとして大学や研究機関向けに開発されているのが主流であるが、将来的には、医療機関や個人向けへの簡易な検査チップが商品化されることが期待される。
【０００５】
前記検査チップは、例えば溝形状で形成された流路等を有するプレート基板と前記プレート基板上に重ねられて前記プレート基板に接合される蓋体とで構成される。
【０００６】
検査方法は、前記流路内にプローブ（試薬）を入れた後、前記流路内に人体から採取した遺伝子（検体）を流す。そして前記プローブと検体とが生化学反応したか否かを測定し、生化学反応の有無により癌などの診断を行なう。前記生化学反応の測定は、例えば前記プローブには蛍光色素が配合されており、蛍光強度を測定することで前記プローブと検体とが生化学反応したか否かを判断する。
【０００７】
ところで、上記したプレート基板と蓋体とを接着剤を介して接合したとき前記接着剤が前記プレート基板に形成された流路内にはみ出ると、前記流路内での前記プローブと検体との生化学反応に悪影響を及ぼす可能性があるため、前記接着剤は前記流路内にはみ出さないように工夫することが必要になる。
【０００８】
下記の特許文献１（特開２００３−１８１２５７号公報）には、この文献の図３に開示されているように、樹脂基板３１の表面に一段高い浮き出し段差が設けられ、この浮き出し段差の表面にＹ字状のカナル３２が形成され、前記浮き出し段差の周囲にドレイン３６が形成されている。
【０００９】
このドレイン３６は、前記樹脂基板３１とカバー３３とを貼り合わせた際に余分な接着剤が流れ込む溝である（特許文献１の［００１９］欄等）。
【００１０】
特許文献１では浮き出し段差と前記ドレイン３６の形成によって前記接着剤のカナル３２への流入を防ぐことが出来るとしている。
【特許文献１】特開２００３−１８１２５７号公報
【発明の開示】
【発明が解決しようとする課題】
【００１１】
しかしながら特許文献１の構造では、Ｙ字状のカナル３２を形成するための浮き出し段差の形成が必要になる。
【００１２】
しかも、ドレイン３６は「余分な接着剤」が流れ込む溝であり、特許文献１では、接着剤を樹脂基板３１とカバー３３間のどの部位に充填するか明確な記載がない。おそらく前記接着剤をカナル３２やドレイン３６以外での前記樹脂基板３１とカバー３３とが対面接触する箇所に塗布すると考えられる。係る場合、前記接着剤の一部は前記ドレイン３６内に流れ込むと思われるが、前記樹脂基板３１とカバー３３とを対面接合させたとき、前記浮き出し段差付近で逃げ場を失った接着剤は前記カナル３２内に流入する可能性があると考えられ、特許文献１の構造では、前記カナル３２への接着剤の流入を完全に防止できる形態にはなっていない。
【００１３】
また仮に前記ドレイン３６内にのみ接着剤を充填して前記樹脂基板３１とカバー３３とを接合させようとすると、前記ドレイン３６は四角形状の溝で、カナル３２はＹ字状の溝であるから前記ドレイン３６とカナル３２間には相当な間隔が空くことになるため、例えば熱などにより前記樹脂基板３１とカバー３３に歪が生じると、前記カナル３２の近傍で、前記樹脂基板３１とカバー３３間に隙間が出来やすい。この結果、前記カナル３２内を流れる検体などが前記カナル３２内を越えて、前記樹脂基板３１とカバー３３間の前記隙間に流入するなどの不具合も発生する。よって前記ドレイン３６に接着剤を充填しただけでは適切に前記樹脂基板３１とカバー３３間を接合させることはできない。
【００１４】
また上記したように、プローブと検体との生化学反応の有無は蛍光強度の測定によって行なうため、前記樹脂基板３１及びカバー３３には低蛍光性の材質が求められ、さらに耐熱性や加工容易性など、その他の種々の条件も満たさなければならない。
【００１５】
しかし、現在市販されている材質で上記した全ての条件を満たす材質はなかなか存在せず、材質自体ではなく、前記プレート基板の構造自体で、低蛍光性を満たすことができれば非常に好ましい。
【００１６】
そこで本発明は上記課題を解決するためのものであり、特に、プレート基板と蓋体とを適切に接合することが出来るとともに、蛍光測定をより的確に行なうことが可能となった検査用プレートを提供することを目的としている。
【課題を解決するための手段】
【００１７】
本発明における検査用プレートは、凹形状の流路と、前記流路の上流側に位置する凹形状の上流側室と、前記流路の下流側に位置する凹形状の下流側室とを有するプレート基板と、前記プレート基板上に接合される蓋体とを有し、
前記上流側室、流路、及び下流側室に至る溝部の周囲の少なくとも一部に、前記溝部の側面から所定の間隔を置いて、前記溝部の形状に沿って形成された凹形状の接着剤溜り溝が設けられ、
前記プレート基板と蓋体とが前記接着剤溜り溝内に充填された接着剤によって接合されることを特徴とするものである。
【００１８】
上記のように前記接着剤溜り溝は前記溝部の側方から所定の間隔を置いて前記溝部の形状に沿って形成されているから、前記接着剤溜り溝内に充填された接着剤が前記溝部内に流入するのを適切に防ぐことができるとともに、特に溝部付近での前記プレート基板と蓋体とを強固に接合でき、前記溝部の近傍で前記プレート基板と蓋体との間に隙間等が形成されるのを適切に抑制することが出来る。
【００１９】
本発明では、前記接着剤溜り溝は、少なくとも前記流路の両側に前記流路の方向に沿って形成されることが好ましい。
【００２０】
また本発明では、前記接着剤は前記プレート基板及び蓋体に比べて遮光性に優れる材質で形成されることが好ましい。これにより前記プレート基板や蓋体から発せられる光も前記接着剤で遮光することができ、プローブと検体との生化学反応の有無を判断するための蛍光測定を的確に行なうことが可能になる。
【００２１】
また本発明では、前記接着剤は前記プレート基板及び蓋体よりも濃色であることが好ましい。例えば、前記接着剤には顔料が添加されていることが好ましい。これにより前記接着剤の遮光性を前記プレート基板及び蓋体に比べて優れたものに出来るとともに、前記接着剤の充填領域をプレート基板上から見ることができ、あるいは前記蓋体を介して透けて見ることができるため、前記接着剤が前記溝部内にはみ出しているか否かを確認しやすい。
【発明の効果】
【００２２】
本発明では、接着剤溜り溝は溝部の側方から所定の間隔を置いて前記溝部の形状に沿って形成されているから、前記接着剤溜り溝内に充填された接着剤が前記溝部内に流入するのを適切に防ぐことができるとともに、特に溝部付近でのプレート基板と蓋体とを強固に接合でき、前記溝部の近傍で前記プレート基板と蓋体との間に隙間等が形成されるのを適切に抑制することが出来る。
【００２３】
また前記接着剤溜り溝内に充填される接着剤に顔料などを添加して濃色にすることで、前記接着剤を前記プレート基板及び蓋体に比べて遮光性に優れたものにでき、これにより蛍光強度の測定を的確に行なうことが可能になるし、また前記接着剤の充填領域を容易に認識でき、前記接着剤が溝部内にはみ出しているか否かを確認しやすい。
【発明を実施するための最良の形態】
【００２４】
図１は本発明の第１実施形態の検査用プレートの外観部分斜視図、図２は図１に示す検査用プレートをＩＩ−ＩＩ線から膜厚方向へ切断し、その切断面を矢印方向から見た部分断面図、図３は図１に示す検査用プレートを構成するプレート基板の平面図、図４は本発明の第２実施形態の検査用プレートの平面図、図５は図２に示す検査用プレートの部分断面図を用い、蛍光測定を説明するための説明図、である。
【００２５】
図１に示す符号１０は、検査用プレートである。図１に示す検査用プレート１０は、例えば人体から血液や尿などを採取し、これら採取物（検体）を、所定の試薬などと反応させて所定の検査を行なうためのものである。前記検査用プレートを例えばＤＮＡチップとして用いる場合には、採取した前記血液に所定の処理を施して使用する。
【００２６】
前記検査用プレート１０は、幅方向（図示Ｘ１−Ｘ２方向）の両端から直角に長さ方向（図示Ｙ１−Ｙ２方向）に延びる所定の厚みを有した略直方形状であるが、前記略直方形状以外の形状であってもかまわない。
【００２７】
前記検査用プレート１０は、プレート基板１２と蓋体１３とで構成される。前記プレート基板１２及び蓋体１３は、ガラスや樹脂などで形成されたものである。前記プレート基板１２及び蓋体１３は所定の蛍光強度を有する材質で形成される。特に前記検査用プレート１０をＤＮＡチップやプロテインチップ等として用いる場合には、前記検査用プレート１０はほぼ透明色の低蛍光性で、耐薬品性等に優れた材質であることが好ましく、例えば石英ガラス、ポリジメチルシロキサン（ＰＤＭＳ）、ポリメタクリル酸メチル（ＰＭＭＡ）などで形成される。
【００２８】
前記検査用プレート１０が樹脂で形成されるときは、射出成形によって前記検査用プレート１０を成形することが好ましく、場合によっては熱プレスを施して、前記検査用プレート１０のプレート基板１２の上面１２ａに形成される溝部を高アスペクト比のものとして成形する。また前記検査用プレート１０がガラスで形成されるときは、熱プレスにより成形する。
【００２９】
図１，図３に示すプレート基板１２の上面１２ａには、一本の流路１４が凹形状で形成されている。前記主流路１４のＹ１側は検体等の液体が前記主流路１４内を流れる上流側に位置し、Ｙ２側は検体等の液体が前記主流路１４内を流れる下流側に位置する。
【００３０】
図１，図３に示すように前記流路１４の上流側（図示Ｙ１側）には前記流路１４と連結する上流側室１５が凹形状で形成されている。図１に示すように、前記蓋体１３には、前記上流側室１５と対向する位置に、前記蓋体１３の上面から下面にかけて貫通した注入口１３ａが設けられており、前記注入口１３ａからプローブや検体等の物質を前記上流側室１５内に入れることが可能になっている。
【００３１】
図１，図３に示すように前記流路１４の下流側（図示Ｙ２側）には前記流路１４と連結する下流側室１６が凹形状で形成されている。図１に示すように、前記蓋体１３には、前記下流側室１６と対向する位置に、前記蓋体１３の上面から下面にかけて貫通した排出口１３ｂが設けられており、前記下流側室１６に到達した検体やプローブ等の物質を排出口１３ｂから排出することが可能になっている。
【００３２】
図１，図３に示すように前記流路１４は図示Ｘ１−Ｘ２方向に所定の幅寸法を有し図示Ｙ１−Ｙ２方向に向けて延びる矩形状で形成されている。一方、前記上流側室１５及び下流側室１６は、その平面形状が略円形状に形成され、前記上流側室１５及び下流側室１６の最大幅寸法は前記流路１４の幅寸法よりも大きく形成されている。ただし前記流路１４、上流側室１５及び下流側室１６の形状は図１，図３のものに限られず他の形状であってもよい。
【００３３】
なお基本的に前記流路１４は、単数あるいは複数の物質を上流側（図示Ｙ１側）から下流側（図示Ｙ２側）にかけて流したり、あるいは流している間に複数の物質どうしを混合させる機能を有し、一方、上流側室１５は単数あるいは複数の物質を注入して流路１４へ送り込んだり、あるいは複数の物質どうしを混合させる機能を有し、また下流側室１６は、単数あるいは複数の物質を排出したり、あるいは複数の複数の物質どうしを混合させる機能を有するものであり、使用態様によって、流路１４、上流側室１５及び下流側室１６の使われ方は異なる。
【００３４】
図１に示す検査用プレート１０では、流路１４は、検体を流すとともに、流している間に前記検体とプローブとが反応をしたか否かを測定する測定領域であり、上流側室１５は検体とプローブとを注入する領域であり、下流側室１６は前記検体を排出する領域として機能する。
【００３５】
図１，図２，図３に示すように、前記流路１４の両側には前記流路１４の側面１４ａから所定の間隔Ｔ２を置いて、前記流路１４の方向に沿って形成された接着剤溜り溝１７が凹形状で形成されている。前記接着剤溜り溝１７には接着剤１８が充填される。
【００３６】
前記接着剤１８には、尿素樹脂系接着剤、酢酸ビニル系接着剤、メラミン樹脂系接着剤、エポキシ樹脂系接着剤、シアノアクリレート系接着剤、紫外線硬化型接着剤等、既存の接着剤が使用される。
【００３７】
ところで前記接着剤１８は前記プレート基板１２及び蓋体１３に比べて遮光性に優れる材質で形成されることが好ましい。遮光性の必要性に関し以下に説明する。
【００３８】
図１ないし図３に示す実施形態では、図１に示す注入口１３ａから前記上流側室１５→流路１４へ向けて多数のビーズ１９が挿入される。前記ビーズ１９はガラスや樹脂などで形成された球状のものであり、前記ビーズ１９の表面にはＤＮＡ断片（プローブ）が付着されている。各ビーズ１９には数種の蛍光色素が異なる割合で配合されており、前記蛍光色素の割合により各ビーズ１９を識別することが可能になっている。
【００３９】
図３に示すように前記ビーズ１９は前記流路１４内に多数敷き詰められる。次に図１に示す注入口１３ａから、人から採取した検体を前記上流側室１５→流路１４へ向けて流す。このとき前記検体の中に、前記ビーズ１９に付着されたプローブと生化学反応を起こす遺伝子が存在すれば、前記プローブと遺伝子とが生化学反応を起こす。生化学反応を起こしたか否かは各ビーズ１９に対して蛍光強度の測定を行なえば容易に判断できる。光を強く発するビーズ１９は、そのビーズ１９に付着されたプローブと検体とが生化学反応したことを示す。前記蛍光強度は図５に示す小型のＣＣＤカメラ２０などで測定でき、前記蛍光強度から看者がある特定の病気（例えば癌など）を発症していないか否かを診断することが出来る。
【００４０】
図５のようにＣＣＤカメラ２０などで各ビーズ１９の蛍光強度を測定するため、前記プレート基板１２及び蓋体１３は出来る限り低蛍光性の材質であることが好ましい点を既に述べた。
【００４１】
しかし前記プレート基板１２及び蓋体１３に、低蛍光性の材質のものを使用しても、前記プレート基板１２及び蓋体１３が全く光を発しないわけではない。また図５に示すように、蛍光測定は、前記流路１４内に敷き詰められたビーズ１９に対して行なわれるので、少なくとも前記流路１４の周辺を、より遮光性に優れた領域にして乱反射等により蛍光強度の測定が鈍るのを抑制することが重要である。
【００４２】
そこで本発明では、前記接着剤１８を前記プレート基板１２及び蓋体１３に比べて遮光性に優れる材質で形成することで、前記蛍光強度の測定の際に、前記プレート基板１２や蓋体１３からわずかに発せられる光も適切に遮光でき、前記蛍光強度の測定の安定性を向上させることが可能になる。
【００４３】
ここで各寸法について説明すると、前記流路１４の幅寸法Ｔ１及び高さ寸法Ｈ１は、２０μｍ〜１００μｍ程度で形成される。また前記流路１４と接着剤溜り溝１７との間隔Ｔ２は１０μｍ〜５００μｍ程度で形成される。また前記接着剤溜り溝１７の幅寸法Ｔ３は２０μｍ〜３０ｍｍ程度で形成され、前記接着剤溜り溝１７の高さ寸法Ｈ２は１μｍ〜２００μｍ程度で形成される。
【００４４】
前記間隔Ｔ２が上記の寸法より小さく形成されると前記接着剤溜り溝１７に充填された接着剤１８が間隔Ｔ２を越えて前記流路１４内に侵入しやくなるので好ましくない。また前記間隔Ｔ２が上記の寸法より大きく形成されると、前記流路１４近傍での接着性が低下して前記間隔Ｔ２の部分の前記プレート基板１２と蓋体１３との間に隙間などが生じやすく、また流路１４近傍での遮光性が低下するので好ましくない。
【００４５】
前記接着剤溜り溝１７の幅寸法Ｔ３が上記の寸法より小さく形成されると接着力及び遮光性が低下するので好ましくない。前記接着剤溜り溝１７の幅寸法Ｔ３が上記の寸法より大きくなると前記接着剤溜り溝１７内に充填する接着剤１８の量が多くなり作業性が低下するなどして好ましくない。また前記接着剤溜り溝１７の高さ寸法Ｈ２が上記の寸法より小さくなると接着性が低下し好ましくない。また接着剤溜り溝１７の高さ寸法Ｈ２が上記寸法より大きくなると前記接着剤溜り溝１７内に充填する接着量が多くなり作業性が低下するなどして好ましくない。
【００４６】
前記接着剤１８の遮光性を向上させるには、前記接着剤１８に遮光性に優れた顔料などを添加すればよい。顔料には既存の材質を使用すればよい。例えばカーボンブラックや黒鉛を顔料として用いることが出来る。
【００４７】
また本発明では、前記接着剤１８は前記プレート基板１２及び蓋体１３よりも濃色にすることが好ましい。上記したカーボンブラック等の顔料を前記接着剤１８に添加すれば、前記接着剤１８を黒っぽい色にでき前記接着剤１８の遮光性を向上させることが出来る。なお添加する顔料の種類によって接着剤１８の着色を変えることが出来る。
【００４８】
また前記プレート基板１２及び蓋体１３は透明色か半透明色であるため、前記接着剤１８を前記プレート基板１２及び蓋体１３よりも濃色にすれば、図３のように、前記接着剤１８が充填された領域を顕微鏡等ではっきり見ることができ、前記プレート基板１２上に蓋体１３を接合したときに前記接着剤１８が前記流路１４内に侵入していないことを、前記蓋体１３上から透かして確認できる。逆にいえば前記接着剤１８が前記流路１４内にはみ出した場合は、それを確認できるから良品か不良品かの区別を製造過程で判断できる。
【００４９】
上記したように本発明では、前記プレート基板１２の上面１２ａに設けられた凹形状の流路１４の両側に所定の間隔Ｔ２を置いて前記流路１４方向に沿う接着剤溜り溝１７を設け、前記接着剤溜り溝１７内に接着剤１８を充填して前記プレート基板１２と蓋体１３とを接合するものであり、これにより次のような効果を奏することが出来る。
【００５０】
第１に本発明では、前記接着剤溜り溝１７を前記流路１４から所定距離だけ離れた位置に設けているから前記接着剤溜り溝１７内に充填された接着剤１８が前記流路１４内にはみ出すことがなく前記接着剤１８が前記流路１４内でのプローブと検体との生化学反応に悪影響を及ぼすことを防止できる。
【００５１】
第２に本発明では、前記接着剤溜り溝１７を前記流路１４方向に沿って設けているため前記プレート基板１２と蓋体１３との接合力、特に前記流路１４の近傍での接合力を強めることが出来る。前記接着剤溜り溝１７を前記流路１４の近傍に設けるとともに前記流路１４の方向に沿って設けているため、前記流路１４の近傍で前記接着剤溜り溝１７に充填された接着剤１８により前記プレート基板１２と蓋体１３とが強く接合され、前記プレート基板１２と蓋体１３とが熱等によって若干の変形を起こしても前記流路１４の近傍での前記プレート基板１２と蓋体１３との間に前記変形による隙間等は生じにくい。このため、前記流路１４内を適切に検体等が流れ、前記プローブと検体とを適切に反応させることが出来る。
【００５２】
第３に本発明では、前記接着剤１８をプレート基板１２や蓋体１３に比べて濃色のものにすることで、前記接着剤１８が前記流路１４内に侵入したかしていないかを的確に判断することができ、生産性の効率化を測ることが出来る。前記接着剤１８を濃色にするには前記接着剤１８に顔料などを添加すればよい。
【００５３】
第４に本発明では、前記接着剤１８に遮光性に優れた顔料を添加することで、蛍光強度の測定を適切に行なうことが可能になる。また遮光性に優れた接着剤１８の充填領域を前記流路１４の近傍に設置することで、蛍光性が高く実質的にプレート基板１２や蓋体１３として使用できないとされた材質を使用しても、前記プレート基板１２や蓋体１３が発する光を前記接着剤１８で適切に遮光でき、蛍光強度の測定を適切に行なうことが可能になる。
【００５４】
図１ないし図３に示す実施形態では、前記流路１４内にプローブが付着したビーズ１９を詰め、前記流路１４内に前記上流側室１５から検体を流し、前記流路１４の下流側にまで流れた前記検体を前記下流側室１６から前記排出口１３ｂを通して外部へ排液するものであった。
【００５５】
このため、蛍光強度の測定は前記流路１４内に詰められた各ビーズ１９に対して行なうものであったが、例えば他の形態として、前記下流側室１６内に検体などを収納し、前記上流側室１５から蛍光色素が付着したプローブを前記下流側室１６まで流し前記下流側室１６内で前記検体とプローブとが生化学反応したか否かを測定する場合がある。
【００５６】
係る場合、前記下流側室１６内で適切に検体とプローブとの混合を促進させるとともに前記下流側室１６内にまで流れ着いたプローブに対して蛍光強度の測定を行なう必要性があるから前記接着剤溜り溝１７は、前記流路１４の側方とともに前記下流側室１６の周囲にも（あるいは少なくとも前記下流側室１６の周囲に）所定の間隔を置いて設けられ前記接着剤溜り溝１７内に顔料が添加された濃色の接着剤１８を充填して前記プレート基板１２と蓋体１３間の接合を行なうことが好ましい。
【００５７】
すなわち、少なくとも接着剤溜り溝１７を設ける位置は、前記プローブと検体とが混合され蛍光強度の測定を行なう領域の周囲に設けられていることが好ましい。なお前記接着剤溜り溝１７を蛍光強度の測定を行なう領域の周囲のみに設けるだけでは、プレート基板１２と蓋体１３間を強固に接合できないとき、図４に示すように前記接着剤溜り溝１７を、上流側室１５，流路１４及び上流側室１６に至る溝部の周囲全体に、前記溝部の側面から所定の間隔を置いて、前記溝部の形状に沿って形成し、前記接着剤溜り溝１７内に接着剤１８を充填して前記プレート基板１２と蓋体１３とを接合すれば、より強く前記プレート基板１２と蓋体１３間を接合することができて好ましい。または、蛍光強度の測定を行なう領域の周囲のみに、溝部の形状に沿う接着剤溜り溝１７を形成し、それ以外の領域には前記接着剤溜り溝１７とは別形態の接着剤溜りなどを設け、前記プレート基板１２と蓋体１３間の接合力を強めても良い。
【００５８】
なお本発明の検査用プレート１０は、血液検査や尿検査、あるいは、ＤＮＡチップやプロテインチップの簡便な診断用として使用でき、また反応、分離、分析等を一つのプレート上で行なうことが出来るμ−ＴＡＳ（micro-total  analysis  system）や、Ｌａｂ−ｏｎ−ｃｈｉｐ、あるいはマイクロファクトリー用のプレートの一部として用いることが可能である。
【図面の簡単な説明】
【００５９】
【図１】本発明の第１実施形態の検査用プレートの外観部分斜視図、
【図２】図１に示す検査用プレートをＩＩ−ＩＩ線から膜厚方向へ切断し、その切断面を矢印方向から見た部分断面図、
【図３】図１に示す検査用プレートを構成するプレート基板の平面図、
【図４】本発明の第２実施形態の検査用プレートの平面図、
【図５】図２に示す検査用プレートの部分断面図を用い、蛍光測定を説明するための説明図、
【符号の説明】
【００６０】
１０  検査用プレート
１２  プレート基板
１３  蓋体
１３ａ  注入口
１３ｂ  排出口
１４  流路
１５  上流側室
１６  下流側室
１７  接着剤溜り溝
１８  接着剤
１９  ビーズ
２０  ＣＣＤカメラ
【図１】
2006053094.tif 000003
【図２】
2006053094.tif 000004
【図３】
2006053094.tif 000005
【図４】
2006053094.tif 000006
【図５】
2006053094.tif 000007